(57)【特許請求の範囲】
【請求項１】
第１駒と、第２駒と、連結具と、該連結具を前記第２駒に固定する固定具とを有し、前記第１駒は、平板状で、前記連結具を収容するための前面から後面に貫通する貫通孔と、前記第２駒を収容するための前記貫通孔に連続する前面側または後面側の少なくとも一方の凹部とを有し、前記第２駒は、柱状で、前記連結具を収容するための孔または切り欠きからなる収容部を有し、前記連結具は帯状、紐状あるいは鎖状であって、前記第１駒の前面側または後面側の前記凹部に前記第２駒が収容されて、前記連結具が、前記固定具で前記第２駒に固定されて、前記第１駒の前記貫通孔および前記第２駒の前記収容部に収容されており、前記連結具および前記固定具が露出していないことを特徴とする装飾品用駒。
【請求項２】
前記固定具がピンであり、前記連結具は前記ピンが挿入されるピン孔を有し、前記第２駒は前記収容部の両端に前記ピン孔に挿入された前記ピンと係合するピン係合部を有することを特徴とする請求項１に記載の装飾品用駒。
【請求項３】
前記ピン係合部が前記第２駒の前記収容部から端面まで貫通する孔であることを特徴とする請求項２に記載の装飾品用駒。
【請求項４】
前記第２駒が隣接する前記第１駒に挟まれて前記凹部に収容されたとき、前記ピン係合部が一方の前記第１駒の前記凹部の内部に位置することを特徴とする請求項３に記載の装飾品用駒。
【請求項５】
前記第１駒および前記第２駒がセラミックスからなることを特徴とする請求項１〜４のいずれかに記載の装飾品用駒。
【発明の詳細な説明】
【技術分野】
【０００１】
本発明は、腕時計のバンドやブレスレットなどに用いられる装飾品用駒に関し、特に、セラミックスを用いた装飾品用駒に関する。
【背景技術】
【０００２】
従来、腕時計のバンドやブレスレットなどに用いられる装飾品用駒には、デザインに合わせて様々な構造が提案されている。特に、バンドの駒にセラミックスを用いた装飾品用駒では、セラミックスが傷つきにくく耐磨耗性に優れることから高級な装飾品に用いられるようになってきている。そしてこの様なセラミックスを用いる例として、特許文献１には、時計の装備方向に通ずるストレート形状の貫通穴を駒本体の厚み内に設けた略方形のバンド駒と、バンド駒の貫通穴と連通する開口を棒状本体の軸線内に設け、棒状本体の側端面から軸線内の開口と連通する軸受け孔を軸両側に設け、時計の装備側に向けて棒状本体の軸両端寄りから突起を設けたスペーサと、板状本体の前後辺を軸継ぎ手として形成した連鎖片と、連結ピンとを所定数複数個組み合わせてなり、各突起を貫通穴の穴両端内に嵌め合わせてスペーサを時計の装備側前側に位置するバンド駒と一体に組み立てると共に、相前後するバンド駒の間にスペーサで隙間を保ってバンド駒とスペーサとを交互に組み合わせ、連鎖片を相前後する軸継ぎ手で互いに組み合わせて軸継ぎ手をスペーサの開口内に位置し、板状本体をバンド駒の貫通穴内に位置させて連鎖片とバンド駒並びにスペーサとを組み合わせると共に、連結ピンを各スペーサの軸受け孔と当該スペーサの開口内に位置する連鎖片の軸継ぎ手とに挿置し、これら組み合わされた各部からバンド本体を鎖状に組み立てた腕時計用バンドが開示されている。そして、これによれば、スペーサを駒本体の間に配置することで相前後するバンド駒の緩衝部材として組み立てることができ、駒本体が超硬質材料でも割れや欠けが生じるのを防げる腕時計用バンドを提供できることが記載されている。
【０００３】
また、高級感を出すために、例えば特許文献２には、複数のブロック駒を連結してなるバンド本体の端部に接続体を連結した時計バンドにおいて、ブロック駒にはバンド本体の長手方向に沿った貫通孔が設けられ、複数のブロック駒は貫通孔に挿通されたワイヤにより互いに連結され、ブロック駒とワイヤとはワイヤ止めネジにより互いに固定され、接続体にはワイヤ係止用の係止孔が形成され、ワイヤの端部は係止孔に挿通され接続体に取り付けられた取付ネジにより接続体に係止されてなる時計バンドが開示されている。そして、これによれば、ブロック駒自体を仕上げてからバンド本体の組み上げを行なうことができ、細工等を施したブロック駒を使用できることから、高級感を有し長さ調整も簡単な時計バンドを提供できることが記載されている。
【０００４】
さらに、特許文献３には、平板状セラミック部材の前面から後面に貫通する孔を形成するとともに、セラミック部材の前面に前記孔に連続した凹部を形成し、この凹部に連結具のヒンジ部が位置するように前記孔に連結具を挿着し、連結具で複数のセラミック部材を連設して成る時計用バンドが開示されている。これによれば、この時計用バンドは環状に曲げてもセラミック部材の間から内部の連結具が露見することが極力防止され、装飾効果が著しく高い時計用バンドの提供が可能となることが記載されている。
【先行技術文献】
【特許文献】
【０００５】
【特許文献１】特許第3924635号公報
【特許文献２】実開昭64−51414号公報
【特許文献３】実用新案登録第2518677号公報
【発明の概要】
【発明が解決しようとする課題】
【０００６】
しかしながら、従来の腕時計のバンドなどに用いられる装飾品用駒は、側面から見ると駒を連結するために用いる連結ピンの端部やネジの頭が見えて装飾性を損なうという問題や、バンドを手首に巻くとバンドを構成する駒の間に隙間が生じて内部の連結具が露出して装飾性を損なうという問題があり、特にセラミックス製の駒を用いたバンドではこれらの課題を好適に解決するにはさらに工夫が必要であった。
【０００７】
例えば、特許文献１の腕時計用バンドは、スペーサを駒本体の間に配置することで駒本体が超硬質材料でも割れや欠けが生ずるのを防止しているが、バンドを側面から見るとスペーサの側面に連結ピンの端部が見えることから、連結用の部品の一部が露出して装飾性が損なわれるという問題があった。
【０００８】
また、特許文献２の時計バンドは、細工等を施したブロック駒を使用できることから、高級感を有し長さ調整も簡単な時計バンドを提供できるが、ブロック駒の側面に、ブロック駒をワイヤに固定するネジの頭が露出して装飾性が低下するという問題があった。
【０００９】
また、特許文献３の時計用バンドは、図22（ｂ）に示すように、環状に曲げるとセラミック部材の間が開く構造であり、内部の連結具105がセラミック部材101の隙間Ａから大きく露出することはないが、完全に露出しないようにすることは難しいものであった。さらに、図22（ａ），（ｂ）に示すように、連結具105のヒンジ部103が凹部104内に位置することから、バンドを手首に巻いて環状に曲げると、隣接するセラミック部材101の間で腕に接する面に小さな段差Ｂが生じて滑らかな曲線にすることがさらに求められていた。
【００１０】
本発明は、装飾品用駒の側面に連結ピンの端部やネジの頭が露出せず、バンドを手首に巻いたとき駒と駒との間から内部の連結具が露出せず、駒の材質を全てセラミックスとしても欠けや磨耗しにくい装飾品用駒を提供することを目的とする。
【課題を解決するための手段】
【００１１】
本発明の装飾品用駒は、第１駒と、第２駒と、連結具と、該連結具を前記第２駒に固定する固定具とを有し、前記第１駒は、平板状で、前記連結具を収容するための前面から後面に貫通する貫通孔と、前記第２駒を収容するための前記貫通孔に連続する前面側または後面側の少なくとも一方の凹部とを有し、前記第２駒は、柱状で、前記連結具を収容する
ための孔または切り欠きからなる収容部を有し、前記連結具は帯状、紐状あるいは鎖状であって、前記第１駒の前面側または後面側の前記凹部に前記第２駒が収容されて、前記連結具が、前記固定具で前記第２駒に固定されて、前記第１駒の前記貫通孔および前記第２駒の前記収容部に収容されており、前記連結具および前記固定具が露出していないことを特徴とするものである。
【００１２】
また、本発明の装飾品用駒は、上記構成において、前記固定具がピンであり、前記連結具は前記ピンが挿入されるピン孔を有し、前記第２駒は前記収容部の両端に前記ピン孔に挿入された前記ピンと係合するピン係合部を有することを特徴とするものである。
【００１３】
また、本発明の装飾品用駒は、上記構成において、前記ピン係合部が前記第２駒の前記収容部から端面まで貫通する孔であることを特徴とするものである。
【００１４】
また、本発明の装飾品用駒は、上記構成において、前記第２駒が隣接する前記第１駒に挟まれて前記凹部に収容されたとき、前記ピン係合部が一方の前記第１駒の前記凹部の内部に位置することを特徴とするものである。
【００１５】
また、本発明の装飾品用駒は、上記各構成において、前記第１駒および前記第２駒がセラミックスからなることを特徴とするものである。
【発明の効果】
【００１６】
本発明の装飾品用駒によれば、第１駒と、第２駒と、連結具と、連結具を第２駒に固定する固定具とを有し、第１駒は、平板状で、連結具を収容するための前面から後面に貫通する貫通孔と、第２駒を収容するための貫通孔に連続する前面側または後面側の少なくとも一方の凹部とを有し、第２駒は、柱状で、連結具を収容するための孔または切り欠きからなる収容部を有し、連結具は帯状、紐状あるいは鎖状であって、第１駒の前面側または後面側の凹部に第２駒が収容されて、連結具が、固定具で第２駒に固定されて、第１駒の貫通孔および第２駒の収容部に収容されており、連結具および固定具が露出していないことから、装飾品用駒の側面に連結ピンの端部やネジの頭や連結具が露出せず、バンドを手首に巻いたとき駒と駒との間から内部の連結具が露出することがない。
【００１７】
また、本発明の装飾品用駒は、上記構成において、固定具がピンであり、連結具はピンが挿入されるピン孔を有し、第２駒は収容部の両端にピン孔に挿入されたピンと係合するピン係合部を有することから、連結構造が簡易になり装飾品用駒と連結具を容易に組み立てることができる。
【００１８】
また、本発明の装飾品用駒は、上記構成において、ピン係合部が第２駒の収容部から端面まで貫通する孔であることから、連結構造が簡易になり装飾品用駒と連結具を容易に組み立てることができる。
【００１９】
また、本発明の装飾品用駒は、上記構成において、第２駒が隣接する第１駒に挟まれて凹部に収容されたとき、ピン係合部が一方の第１駒の凹部の内部に位置することから、第２駒のピン係合部が収容部から端面まで貫通する孔であっても、装飾品用駒と連結具を組み立てたとき、装飾品用駒の側面に連結ピンの端部やネジの頭が露出しないバンドとすることができる。
【００２０】
また、本発明の装飾品用駒は、上記いずれかの構成において、第１駒および第２駒がセラミックスからなることから、欠けや磨耗しにくく質感や色調に統一性を持たせた高級感のある美しい外観を得ることができる。
【図面の簡単な説明】
【００２１】
【図１】本発明の第１の実施形態である装飾品用駒の一部である第１駒の一例を示す、（ａ）は平面図であり、（ｂ）は正面図であり、（ｃ）は右側面図であり、（ｄ）は底面図である。
【図２】本発明の第１の実施形態である装飾品用駒の一部である第２駒の一例を示す、（ａ）は平面図であり、（ｂ）は正面図であり、（ｃ）は右側面図である。
【図３】本発明の第１の実施形態である装飾品用駒の一部である第２駒の他の例を示す、（ａ）は平面図であり、（ｂ）は正面図であり、（ｃ）は右側面図であり、（ｄ）は底面図である。
【図４】本発明の装飾品用駒の一部である連結具の一例を示す、（ａ）は平面図であり、（ｂ）は正面図であり、（ｃ）は右側面図である。
【図５】本発明の装飾品用駒の一部である連結具の他の例を示す、（ａ）は平面図であり、（ｂ）は正面図であり、（ｃ）は右側面図である。
【図６】本発明の装飾品用駒の一部である第２駒の他の例（図５に示す連結具を使用する場合の第２駒）を示す、（ａ）は平面図であり、（ｂ）は正面図であり、（ｃ）は右側面図であり、（ｄ）は左側面図である。
【図７】本発明の装飾品用駒の一部である固定具の一例を示す斜視図である。
【図８】図８−１〜８−４は、本発明の第１の実施形態である装飾品用駒の組み付け方法の一例を示し、図８−１（ａ）は時計ケースに連結具と第２駒と第１駒とを組み付ける前の状態を示す上面側から見た断面図であり、（ｂ）は（ａ）のＤ−Ｄ′線での断面図である。図８−２（ａ）は時計ケースに連結具と第２駒とを組み付け、固定具をピン係合部とピン孔とに挿入する前の状態を示す上面側から見た断面図であり、（ｂ）は（ａ）のＤ−Ｄ′線での断面図である。図８−３（ａ）は時計ケースに連結具と第２駒を組み付け、固定具をピン係合部とピン孔に挿入した状態を示す上面側から見た断面図であり、（ｂ）は（ａ）のＤ−Ｄ′線での断面図である。図８−４（ａ）は時計ケースに連結具と第２駒とを組み付け、固定具をピン係合部とピン孔に挿入し、第１駒の左側の凹部に第２駒を収容し、次の第２駒を第１駒の右側の凹部に収容する前の状態を示す上面側から見た断面図であり、（ｂ）は（ａ）のＤ−Ｄ′線での断面図である。
【図９】本発明の第１の実施形態である装飾品用駒を時計ケースに組み付けたあとの形状の一例を示す、（ａ）は平面図であり、（ｂ）は正面図であり、（ｃ）は底面図であり、（ｄ）は装飾品用駒を曲げた状態を示す正面面図である。
【図１０】第１駒１の凹部に第２駒が嵌合した一例を示す断面図である。
【図１１】スペーサの一例を示す、（ａ）は平面図であり、（ｂ）は正面図であり、（ｃ）は底面図であり、（ｄ）は右側面図である。
【図１２】本発明の装飾品用駒の、スペーサを用いた場合の組み付け方法を示す左側面からの断面図であり、（ａ）は組み付け前の状態を示す図であり、（ｂ）は第２駒をスペーサに嵌合し固定具（図示せず）をピン係合部とピン孔とに挿通した状態を示す図であり、（ｃ）は第１駒の左側の凹部にスペーサを嵌合した状態を示す図であり、（ｄ）は第１駒の右側にスペーサを嵌合し第２駒をスペーサに嵌合して固定具（図示せず）をピン係合部とピン孔に挿通した状態を示す図である。
【図１３】本発明の第１の実施形態である装飾品用駒の一部を曲げた状態を示す断面図の一例である。
【図１４】本発明の第２の実施形態である装飾品用駒の一部である第１駒の一例を示す、（ａ）は平面図であり、（ｂ）は正面図であり、（ｃ）は右側面図である。
【図１５】本発明の第２の実施形態である装飾品用駒の一部である第２駒の一例を示す、（ａ）は平面図であり、（ｂ）は正面図であり、（ｃ）は右側面図である。
【図１６】図16−１〜16−３は、本発明の第２の実施形態である装飾品用駒の組み付け方法の一例を示し、図16−１（ａ）は時計ケースに連結具と第２駒と第１駒とを組み付ける前の状態を示す上面側から見た断面図であり、（ｂ）は（ａ）のＥ−Ｅ′線での断面図である。図16−２（ａ）は時計ケースに連結具と第２駒とを組み付け、２本ある固定具の一方がピン係合部とピン孔とに挿入され、他方が挿入される前の状態を示す上面側から見た断面図であり、（ｂ）は（ａ）のＥ−Ｅ′線での断面図である。図16−３（ａ）は時計ケースに連結具と第２駒とを組み付け、固定具をピン係合部とピン孔とに挿入し、第１駒の左側の凹部に第２駒を収容し、次の第２駒を第１駒の右側の凹部に収容する前の状態を示す上面側から見た断面図であり、（ｂ）は（ａ）のＥ−Ｅ′線での断面図である。
【図１７】本発明の第２の実施形態である装飾品用駒を時計ケースに組み付けあとの形状の一例を示す、（ａ）は平面図であり、（ｂ）は正面図であり、（ｃ）は底面図である。
【図１８】本発明の第３の実施形態である装飾品用駒の一部である第１駒の一例を示す、（ａ）は平面図であり、（ｂ）は正面図であり、（ｃ）は右側面図であり、（ｄ）は背面図である。
【図１９】本発明の第３の実施形態である装飾品用駒の一部である第２駒の一例を示す、（ａ）は平面図であり、（ｂ）は正面図であり、（ｃ）は右側面図である。
【図２０】図20−１〜20−３は、本発明の第３の実施形態である装飾品用駒の組み付け方法の一例を示し、図20−１（ａ）は時計ケースに連結具と第２駒と第１駒とを組み付ける前の状態を示す上面側から見た断面図であり、（ｂ）は（ａ）のＦ−Ｆ′線での断面図である。図20−２（ａ）は時計ケースに連結具と第２駒とを組み付け、固定具をピン係合部とピン孔に挿入する状態を示す上面側から見た横断面図であり、（ｂ）は（ａ）のＦ−Ｆ′線での断面図である。図20−３（ａ）は時計ケースに連結具と第２駒とを組み付け、固定具をピン係合部とピン孔に挿入し、第１駒の左側の凹部に第２駒を収容し、次の第２駒を第１駒の右側の凹部に収容する前の状態を示す上面側から見た断面図であり、（ｂ）は（ａ）のＦ−Ｆ′線での断面図である。
【図２１】本発明の装飾品用駒を時計ケースに組み付けたあとの第３の実施形態である形状の一例を示す、（ａ）平面図であり、（ｂ）は正面図であり、（ｃ）は装飾品用駒を曲げた状態の正面図と一部断面図である。
【図２２】特許文献３に開示された時計用バンドに用いられるセラミック部材の側面からの断面図を示し、（ａ）は時計用バンドが平坦な状態であり、（ｂ）は時計用バンドが曲がった状態である。
【発明を実施するための形態】
【００２２】
以下、本発明の実施形態の例について説明する。
【００２３】
時計用のバンドやブレスレットなどに用いられる装飾品用駒には、金属製，樹脂製，皮革製またはセラミックス製などの様々な材質が用いられている。特に、セラミックス製の装飾品用駒は、硬度が高いため傷つきにくく長期に渡って美しい外観を保つことができるため高級品に用いられる場合が多い。しかしその反面セラミックスは、他の材質とは異なり硬度が高いために加工性が悪く欠けやすいため、装飾品用駒として用いるときには特殊な連結構造が必要であった。
【００２４】
そして、本発明は、第１駒１と第２駒２と連結具３と連結具３を第２駒２に固定する固定具４とを有し、第１駒１は、平板状で、連結具３を収容するための前面10から後面11に貫通する貫通孔17と、第２駒２を収容するための貫通孔17に連続する前面10側または後面11側の少なくとも一方の凹部16とを有し、第２駒２は、柱状で、連結具３を収容するための孔または切り欠きからなる収容部24を有し、連結具３は帯状、紐状あるいは鎖状であって、第１駒１の前面10側または後面11側の凹部16に第２駒２が収容されて、連結具３が、固定具４で第２駒２に固定されて、第１駒１の貫通孔17および第２駒２の収容部16に収容されることが重要である。
【００２５】
次に、本発明の第１の実施形態の例を説明する。
【００２６】
図１は、本発明の第１の実施形態である装飾品用駒の一部である第１駒の一例を示す、（ａ）は平面図であり、（ｂ）は正面図であり、（ｃ）は右側面図であり、（ｄ）は底面図である。
【００２７】
図１（ａ）〜（ｄ）に示す本発明の第１の実施形態である装飾品用駒の一部である第１駒１は、装飾品用駒を手首に巻き付けたとき、その外観形状は主に上面13と側面12とから構成される。そして下面14は手首に接する面となり、前面10側から後面11側に貫通する貫通孔17と、貫通孔17に連続する前面10側および後面11側の凹部16とを有している。
【００２８】
第１駒１において装飾品用駒を組み立て手首に巻き付けたとき、上面13と側面12は、目視される部分であるため装飾的に重要な部分となり、下面14は、手首側となるため装着感において重要な部分となる。また、凹部16は、装飾品用駒を組み立てるとき第２駒２を収容する部分であり、第２駒２と擦れる凹部16の内面は鏡面または凹凸の少ない滑らかな面とすることで、第２駒２の表面を傷付けないようにすることが好ましい。
【００２９】
そして、貫通孔17は、装飾品用駒を組み立てるとき連結具３を収容する部分であり、図１（ｂ）で前面10から後面12に貫通する貫通孔17の断面は矩形状となっている。なお、他の例として、連結具３が紐状の場合は、紐の断面形状にあわせてもよく、複数に分割しても構わない。
【００３０】
図２は、本発明の第１の実施形態である装飾品用駒の一部である第２駒の一例を示す、（ａ）は平面図であり、（ｂ）は正面図であり、（ｃ）は右側面図である。
【００３１】
図２（ａ）〜（ｃ）に示す第２駒２は、円柱状であり、中央に前面20側から後面21側に貫通する孔からなる収容部24と、収容部24から第２駒２の端面22に貫通する孔からなるピン係合部23とを有し、ピン係合部23は円形の第２駒２の端面22の中心から第２駒２の後面21側にずれた位置に形成してある。
【００３２】
なお、図２（ａ）〜（ｃ）に示す第２駒２は、装飾品用駒に組み立てたとき、収容部24に連結具３を収容して、前後の第１駒１の凹部16に収容される。そして第１駒１の凹部16と接触する面は、鏡面か凹凸の少ない滑らかな面として傷つきにくくし、耐久性を高めることが好ましい。図２（ｂ）に示す第２駒２の前面20から第２駒２の後面21に貫通する収容部24の断面は矩形状となっているが、他の例として、連結具３が紐状の場合は、紐の断面形状にあわせてもよく、複数に分割しても構わない。ピン係合部23は、円形の第２駒端面22の中心から第２駒２の後面21側にずれた位置に形成してあるが、これは、後述する図７−１（ａ），（ｂ）に示すように、第２駒２を第１駒１の凹部16（時計ケース５の凹部53）に収容し、第２駒２と連結具３とを後述する固定具４で係合するとき、ピン係合部23が凹部16（時計ケース５の凹部53）の外に配置するようにして、固定具４を第２駒端面から挿入できる状態として組み付けを容易にするためである。
【００３３】
図３は、本発明の第１の実施形態である装飾品用駒の一部である第２駒の他の例を示す、（ａ）は平面図であり、（ｂ）は正面図であり、（ｃ）は右側面図であり、（ｄ）は底面図である。
【００３４】
図３（ａ）〜（ｄ）に示す第２駒の他の例を示しており第２駒２は、円柱状であり、中央に切り欠きからなる収容部24と、収容部24から第２駒端面22に貫通する孔のピン係合部23とを有し、ピン係合部23は円形であり第２駒端面22の中心から第２駒後面21側にずれた位置に形成してある。
【００３５】
また、図３（ａ）〜（ｄ）に示す第２駒２は、収容部24が切り欠き状のものであるが、収容部24を孔状とするか切り欠き状とするかは、第２駒２をセラミックスで作製するとき
の成形方法や装飾品用駒70のデザインにより適宜選択すればよい。
【００３６】
図４は、本発明の装飾品用駒の一部である連結具の一例を示す、（ａ）は平面図であり、（ｂ）は正面図であり、（ｃ）は右側面図である。
【００３７】
図４（ａ）〜（ｃ）に示す連結具３は、帯状であって、連結具本体30の平面側に固定具保持部31を有し、固定具保持部31にはピン孔32が形成してある。
【００３８】
なお、図４（ａ）〜（ｃ）に示す連結具３は、帯状のものである場合を示している。連結具本体30には、樹脂コーティングや亜鉛などのメッキを施したステンレス製のテープや、樹脂を含浸したガラスクロスやステンレス製のワイヤを編むか束ねて樹脂で封止したものなどを用いることができる。また、連結具３は、紐状や鎖状のものを使用することもでき、装飾品用駒の大きさや形状にあわせて適宜選択すればよい。また、連結具本体30の一部に蛇腹を形成したり、複数に分割してバネ状の部材で連結するなどして、連結具３に若干の伸縮性を付与し、装飾品用駒として組み付けたときの曲がり具合を調整できるようにしてもよい。そして、固定具保持部31は、連結具本体30に接着剤やロウ付けなどの方法で固定するか、連結具本体30を作製する工程の中で一体的に形成することもできる。さらに、固定具保持部31には、ピン孔32が形成され、後述する固定具４がピン係合部23とピン孔32とを挿通することで第２駒２と連結具３とを固定する。
【００３９】
図５は、本発明の装飾品用駒の一部である連結具の他の例を示す、（ａ）は平面図であり、（ｂ）は正面図であり、（ｃ）は右側面図である。
【００４０】
また、図６は、本発明の装飾品用駒の一部である第２駒の他の例（図５に示す連結具を使用する場合の第２駒）を示す、（ａ）は平面図であり、（ｂ）は正面図であり、（ｃ）は右側面図であり、（ｄ）は左側面図である。
【００４１】
図５（ａ）〜（ｃ）に示す連結具３は、左右２枚の帯に別れており、連結具本体30の上面側に固定具保持部31を有し、固定具保持部31にはピン孔32が形成してある。
【００４２】
また、図６（ａ）〜（ｄ）に示す第２駒２は、円柱状で左右２枚に別れており、図に示すように第２駒前面20側から第２駒後面21側に貫通する窪みを有する収容部24と、収容部24から第２駒端面22に貫通する孔からなるピン係合部23とを有し、ピン係合部23は円形の第２駒端面22の中心から第２駒後面21側にずれた位置に形成してある。
【００４３】
図５（ａ）〜（ｃ）に示す連結具３は、例えば、第１駒１の強度を補強するため第１駒１の貫通孔17の中央部に柱を形成する場合に、支障なく装飾品用駒70を連結することができ、図18（ａ）〜（ｄ）のように、第２駒２を分割して中央部に空間を設けるデザインとする場合に、連結具３も分割すれば、装飾品用駒70を後述する図８（ｄ）のように曲げたときでも隙間Ａから連結具３が露出することはない。このとき、固定具挿入孔32の底は封止して固定具４が抜け落ちないようにするか、ピン孔32にネジを形成し固定具４はボルトにするなどして、連結具３と第２駒２とを係合すればよい。
【００４４】
図７は、本発明の装飾品用駒の一部である固定具の一例を示す斜視図である。
【００４５】
図７に示す固定具４の一例に用いるピンとしては、単純なピン，バネピン，割ピンおよび圧入ピンなど公知の部品を用いることができる。さらに、ボルトや針金なども固定具４として用いることができる。
【００４６】
また、連結具３に図４に示すようなピン孔32を有する固定具保持部31を形成しない場合には、連結具３に第２駒２の位置決めを行なう部材を取り付け、位置決めを行なった後に接着剤（固定具４の代用）で固定してもよい。
【００４７】
図８−１〜８−４は、本発明の第１の実施形態である装飾品用駒の組み付け方法の一例を示し、図８−１（ａ）は時計ケースに連結具と第２駒と第１駒とを組み付ける前の状態を示す上面側から見た断面図であり、（ｂ）は（ａ）のＤ−Ｄ′線での断面図である。図８−２（ａ）は時計ケースに連結具と第２駒とを組み付け、固定具をピン係合部とピン孔とに挿入する前の状態を示す上面側から見た断面図であり、（ｂ）は（ａ）のＤ−Ｄ′線での断面図である。図８−３（ａ）は時計ケース５に連結具と第２駒を組み付け、固定具をピン係合部とピン孔に挿入した状態を示す上面側から見た断面図であり、（ｂ）は（ａ）のＤ−Ｄ′線での断面図である。図８−４（ａ）は時計ケースに連結具と第２駒を組み付け、固定具をピン係合部とピン孔に挿入し、第１駒の左側の凹部に第２駒を収容し、次の第２駒を第１駒の右側の凹部に収容する前の状態を示す上面側から見た断面図であり、（ｂ）は（ａ）の見たＤ−Ｄ′線での断面図である。
【００４８】
図８−１〜８−４は本発明の第１の実施形態である装飾品用駒70の組み付け方法の一例を示しており、それぞれの（ａ）は、装飾品用駒を上面側から見た断面図であり、（ｂ）の第１駒１をＡ−Ａ′線で，第２駒２をＢ−Ｂ′線で，時計ケース５をＣ−Ｃ′線で切断したときの断面および連結具３の平面を示している。なお、（ｂ）は（ａ）のＥ−Ｅ′線での断面図である。
【００４９】
組み付け方法は、第１に、図８−１に示すように、時計ケース５のスリット54に連結具３を挿入し、第２駒２を、収容部24に連結具３が収容されるように連結具３の端部から通して時計ケース５の凹部53に向けて移動させ、その後、第１駒１を、貫通孔17に連結具３が収容されるようにして時計ケース５に向けて移動する。
【００５０】
第２に、図８−２に示すように、時計ケース５の凹部53に第２駒２を組み付け、ピン係合部23とピン孔32とが連通するように位置を決め、図８−３に示すように、固定具４でピン係合部23とピン孔32とを挿通する。
【００５１】
第３に、図８−４に示すように、第１駒１を時計ケース５に向けて移動させ、左側の凹部16に第２駒２を収容し、次の第２駒２を、第１駒１の右側の凹部16に向けて移動させ、凹部16に収容し、先と同様にして固定具４で第２駒２と連結具３を係合する。これらを繰り返すことにより、第１駒１，第２駒２，連結具３，固定具４および時計ケース５が連結される。
【００５２】
このように、本発明の第１の実施形態の例では、装飾品用駒70は、第２駒２の間隔が固定具４と固定具保持部31とにより拘束されるため、第１駒１の凹部16に収容された第２駒２と第１駒１の凹部16とのクリアランスを装飾品用駒70の全体で均等に保つことが可能となる。これにより、第１駒１と第２駒２をセラミックス製としても、装飾品用駒70の特定の部分に繰り返し大きな摩擦が生じて第１駒１と第２駒２とが傷ついたり磨耗したりして、装飾品用駒70の寿命が低下したり外観を損ねるという問題を防ぐことができる。
【００５３】
図９は、本発明の第１の実施形態である装飾品用駒を時計ケースに組み付けた後の形状の一例を示す、（ａ）は平面図であり、（ｂ）は正面図であり、（ｃ）は底面図であり、（ｄ）は装飾品用駒70を曲げた状態を示す正面面図である。
【００５４】
図10は、第１駒の凹部に第２駒が嵌合した一例を示す断面図である。
【００５５】
図９（ａ）〜（ｄ）に示す例では、連結具３や固定具４は、第１駒１と第２駒２との内部に収容されている。そのため装飾品用駒70を手首に巻き付けたとき、上面側から見ると、第１駒１の隙間Ａからは第２駒２が見えるだけで連結具３が露出することはない。さらに、第２駒２の端面22側から見ると、固定具４は第１駒１の凹部16の内部にあるため固定具４の端部が露出することもなく、美しい外観を有する装飾品用駒70を得ることができる。
【００５６】
さらに、装飾品用駒70は、第１駒１が凹部16と第２駒２との接触面に沿って曲がるため、図22（ｂ）に示すような段差Ｂは殆ど生じることがなく、手首に巻き付けたときの装着感に優れおり、外観的にも高級感を有する。
【００５７】
このとき、第１駒１の凹部16と第２駒２との接触面は必ずしも合致する曲面である必要はなく、例えば、図10に第１駒１の側面から見た断面図に示すように、凹部16を矩形状、第２駒２を円形の柱状としても、装飾品用駒70は第１駒１の凹部16と第２駒２の接触部に沿って曲がることになる。
【００５８】
図11は、スペーサの一例を示す、（ａ）は平面図であり、（ｂ）は正面図であり、（ｃ）は底面図であり、（ｄ）は右側面図である。
【００５９】
また、図12は、本発明の装飾品用駒の、スペーサ６を用いた場合の組み付け方法を示す左側面からの断面図であり、（ａ）は組み付け前の状態を示す図であり、（ｂ）は第２駒２をスペーサ６に嵌合し固定具（図示せず）をピン係合部23とピン孔32に挿通した状態を示す図であり、（ｃ）は第１駒１の左側の凹部16にスペーサ６を嵌合した状態を示す図であり、（ｄ）は第１駒１の右側にスペーサ６を嵌合し第２駒２をスペーサに嵌合して固定具（図示せず）をピン係合部23とピン孔32とに挿通した状態を示す図である。
【００６０】
さらに、本発明の装飾品用駒の第１の実施形態である組み付け方法の他の例として、図11（ａ）〜（ｄ）で示すスペーサ６を用いて第１駒１と第２駒２とを組み付ける方法もある。ここで、スペーサ６には、第２駒２と嵌合するスペーサ凹部60と、連結具４を挿入するスペーサ孔64とが形成されており、図10に示すように、第１駒１には側面12側から見た断面が矩形状の凹部16を形成し、図12（ａ）〜（ｄ）に示すように、第１駒１の凹部16にスペーサ６を嵌合し、第１駒１，スペーサ６，第２駒２および固定具４を組み付けることができる。
【００６１】
このようなスペーサ６を用いることで、第２駒２は、スペーサ凹部60に収容されてスペーサ６と摺動するため、スペーサ６に樹脂などの軟らかい材料を用いた場合には、第２駒２の磨耗をさらに低減することができる。このようにしても、スペーサ６は装飾品用駒70の外観に露出しないため、装飾品用駒70の装飾性が低下することはない。
【００６２】
図13は、本発明の第１の実施形態である装飾品用駒の一部を曲げた状態を示す断面図の一例である。
【００６３】
図13に示す装飾品用駒70を曲げた状態を示す部分断面図では、連結具本体30が収容部24の内部で曲がることにより、装飾品用駒70は全体的に滑らかに曲がる。
【００６４】
また、本発明は、固定具４がピンであり、連結具３はピンが挿入されるピン孔32を有し、第２駒２は収容部24の両端にピン孔32に挿入されたピンと係合するピン係合部23を有することが好ましい。
【００６５】
例えば、両端が縮むバネピンを固定具４として用い、図４に示す連結具３のピン孔32に挿入し、バネピンの両端を縮めた状態で後述する図15（ａ）〜（ｃ）に示す第２駒２の収容部24に収容し、ピン係合部23とバネピンとの両端が重なったときバネピンの両端を元の長さに戻すことで第２駒２と連結具３とを係合することができる。この方法では、後述する図13に示すような、第２駒の端面22が装飾品用駒の側面から見えるデザインでもバネピンの端部が露出することはない。
【００６６】
また、本発明は、ピン係合部23が第２駒２の収容部24から端面22まで貫通する孔であることが好ましい。
【００６７】
例えば、割ピンまたは圧入ピンを固定具４として用い、図８−２に示すように、第２駒２のピン係合部23と連結具３のピン孔32とが連通するように位置決めし、固定具４を第２駒２の端面22からピン係合部23に挿入し、ピン孔32を通って対面のピン係合部23まで挿通することにより、組み付け作業を容易に行なうことができるとともに、装飾品用駒70を補修のために分解することも容易となる。
【００６８】
また、本発明は、第２駒２が隣接する第１駒１に挟まれて凹部16に収容されたとき、ピン係合部23が一方の第１駒１の凹部16の内部に位置することが好ましい。
【００６９】
例えば、単純なピンを固定具４として用い、図８−２に示すように、第２駒２のピン係合部23と連結具３のピン孔32とが連通するように位置決めし、固定具４を第２駒２の端面22からピン係合部23に挿入し、ピン孔32を通って対面のピン係合部23まで挿通すると、固定具４を挿通する力が殆ど必要ないため、さらに組み付け作業を容易に行なうことができるとともに、装飾品用駒70を補修のため分解することもさらに容易となる。特に、図９で示すように、第２駒２が第１駒１の凹部16の内部に収容されて側面からピン係合部23が見えないデザインの装飾品用駒70に用いると、ピン係合部23は第１駒１の凹部16の内壁で両端からフタをされるため、組み付けるだけで固定具４が抜け落ちるのを防止することができる。
【００７０】
また、本発明においては、第１駒１および第２駒２がセラミックスからなることが好ましい。
【００７１】
第１駒１および第２駒２をセラミックスで形成することにより、装飾品用駒70は手首に巻き付けたとき、外観をセラミックスで統一することが可能となり、質感や色調に統一性を持たせた高級感のある美しい外観を得ることができる。
【００７２】
次に、本発明の第２の実施形態の例を説明する。
【００７３】
図14は、本発明の第２の実施形態である装飾品用駒の一部である第１駒の一例を示す、（ａ）は平面図であり、（ｂ）は正面図であり、（ｃ）は右側面図である。
【００７４】
図14（ａ）〜（ｃ）に示す第１駒１は、装飾品用駒を手首に巻き付けたとき、その外観形状は主に上面13と側面12とから構成される。そして下面14は手首に接する面となり、前面10側から後面11側に貫通する貫通孔17と、貫通孔17に連続する前面10側および後面11側の凹部16とを有している。
【００７５】
また、第１駒１において、装飾品用駒70に組み立て手首に巻き付けたとき、上面13と側面12とは、目視される部分であるため装飾的に重要な部分となり、下面14は、手首側となるため装着感において重要な部分となる。また、凹部16は、装飾品用駒70を組み立てるとき第２駒２を収容する部分であり、第２駒２と擦れる凹部16の内面は鏡面または凹凸の少ない滑らかな面とすることで、第２駒２の表面を傷付けないようにすることが好ましい。なお、図14に示す第１駒１の凹部16は、第１駒１の側面まで達していることから、凹部16に収容する第２駒２の端面22は装飾品用駒70の側面に露出する。
【００７６】
そして、貫通孔17は、装飾品用駒70を組み立てるとき連結具３を収容する部分であり、図14（ｂ）で前面10から後面12に貫通する貫通孔17の断面は矩形状となっている。なお、他の例として、連結具３が紐状の場合は、紐の断面形状にあわせてもよく、複数に分割しても構わない。
【００７７】
図15は本発明の第２の実施形態である装飾品用駒の一部である第２駒の一例を示す、（ａ）は平面図であり、（ｂ）は正面図であり、（ｃ）は右側面図である。
【００７８】
図15の（ａ）〜（ｃ）に示す第２駒２は、円柱状であり、中央に第２駒２の前面20側から第２駒２の後面21側に貫通する孔からなる収容部24と、収容部24から第２駒２の端面22に向けて形成された止まり穴からなるピン係合部23とを有し、ピン係合部23は円形の第２駒端面22の中心から第２駒後面21側にずれた位置に形成してある。
【００７９】
また、図15（ａ）〜（ｃ）に示す第２駒２は、装飾品用駒70に組み立てたとき、収容部24に連結具３を収容して、前後の第１駒１の凹部16に収容される。そして、第２駒２の第１駒１の凹部16と接触する面は、鏡面か凹凸の少ない滑らかな面として傷つきにくくし、耐久性を高めることが好ましい。図15（ｂ）に示す第２駒２の前面20から第２駒２の後面21に貫通する収容部24の断面は矩形状となっているが、他の例として、連結具３が紐状の場合は、紐の断面形状にあわせてもよく、複数に分割しても構わない。ピン係合部23は、円形の第２駒の端面22の中心から第２駒の後面21側にずれた位置に形成してあるが、この例では、固定具４を第２駒２の端面22側から挿入することはないため中心部に形成しても構わない。
【００８０】
図16−１〜16−３は、本発明の第２の実施形態である装飾品用駒の組み付け方法の一例を示す、図16−１（ａ）は時計ケースに連結具と第２駒と第１駒とを組み付ける前の状態を示す上面側から見た断面図であり、（ｂ）は（ａ）のＥ−Ｅ′線での断面図である。図16−２（ａ）は時計ケースに連結具と第２駒とを組み付け、２本ある固定具の一方がピン係合部とピン孔とに挿入され、他方が挿入される前の状態を示す上面側から見た断面図であり、（ｂ）は（ａ）のＥ−Ｅ′線での断面図である。図16−３（ａ）は時計ケースに連結具と第２駒とを組み付け、固定具をピン係合部とピン孔とに挿入し、第１駒の左側の凹部に第２駒を収容し、次の第２駒を第１駒の右側の凹部に収容する前の状態を示す上面側から見た断面図であり、（ｂ）は（ａ）のＥ−Ｅ′線での断面図である。
【００８１】
図16−１〜16−３に示す本発明の第２の実施形態である装飾品用駒70の組み付け方法の一例において、それぞれの（ａ）は、装飾品用駒を上面側から見た断面図であり、（ｂ）の第１駒１をＡ−Ａ′線で，第２駒２をＢ−Ｂ′線で，時計ケース５をＣ−Ｃ′線で切断したときの断面および連結具３の平面を示している。なお、（ｂ）は（ａ）のＥ−Ｅ′線での断面図である。
【００８２】
組み付け方法は、第１に、図16−１に示すように、時計ケース５のスリット54に連結具３を挿入し、第２駒２を、収容部24に連結具３が収容されるように連結具３の端部から通して時計ケース５の凹部53に向けて移動させ、その後、第１駒１を、貫通孔17に連結具３が収容されるようにして時計ケース５に向けて移動する。
【００８３】
第２に、図16−２に示すように、時計ケース５の凹部53に第２駒２を組み付け、ピン係合部23とピン孔32とが連通するように位置を決め、固定具４で収容部24の内側からピン係合部23とピン孔32とを挿通する。このとき用いる固定具４は、抜け落ちを防止するため、割ピンや圧入ピンを用いるなどすればよい。
【００８４】
第３に、図16−３に示すように、第１駒１を時計ケース５に向けて移動させ、左側の凹部16に第２駒２を収容し、次の第２駒２を、第１駒１の右側の凹部16に向けて移動させ、凹部16に収容し、先と同様にして固定具４で第２駒２と連結具３とを係合する。これらを繰り返すことにより、第１駒１，第２駒２，連結具３，固定具４および時計ケース５が連結される。
【００８５】
このようにして連結された装飾品用駒70は、第２駒２の間隔が固定具４と固定具保持部31とにより拘束されるため、第１駒１の右側の凹部16に収容された第２駒２と凹部16とのクリアランスを装飾品用駒70の全体で均等に保つことが可能となる。これにより、第１駒１と第２駒２とをセラミックス製としても、装飾品用駒70の特定の部分に繰り返し大きな摩擦が生じて第１駒１と第２駒２とが傷ついたり磨耗したりして、装飾品用駒70の寿命が低下したり外観を損ねるという問題を防ぐことができる。
【００８６】
図17は、本発明の第２の実施形態である装飾品用駒を時計ケースに組み付け後の形状の一例を示す、（ａ）は平面図であり、（ｂ）は正面図であり、（ｃ）は底面図である。
【００８７】
図17の（ａ）〜（ｃ）に示す連結具３や固定具４は、第１駒１と第２駒２との内部に収容されている。そのために装飾品用駒70を手首に巻き付けたとき、上面側から見ると、第１駒１の隙間Ａからは第２駒２が見えるだけで連結具３が露出することはない。さらに、第２駒２の端面22側から見ると、固定具４は第１駒１の凹部16の内部にあるため固定具４の端部が露出することもなく、美しい外観を有する装飾品用駒70を得ることができる。
【００８８】
このように、本発明の第２の実施形態では、第２駒２の端面22が装飾品用駒70に露出するデザインではあるが、固定具４は第２駒２の収容部22の内部から止まり穴のピン係合部23に挿入されるため、固定具４の端部が第２駒２の端面22に露出することはない。
【００８９】
さらに、本発明の第３の実施形態の例を示す。
【００９０】
図18は、本発明の第３の実施形態である装飾品用駒の一部である第１駒の一例を示す、（ａ）は平面図であり、（ｂ）は正面図であり、（ｃ）は右側面図であり、（ｄ）は背面図である。
【００９１】
図18の（ａ）〜（ｄ）に示す第１駒１は、装飾品用駒を手首に巻き付けたとき、その外観形状は主に上面13と側面12とから構成され、下面14は手首に接する面となり、前面10側から後面11側に貫通する貫通孔17と、貫通孔17に連続する前面10側の凹部16とを有している。
【００９２】
また、第１駒１は、装飾品用駒70に組み立て手首に巻き付けたとき、上面13と側面12とは、目視される部分であるため装飾的に重要な部分となり、下面14は、手首側となるため装着感において重要な部分となる。
【００９３】
また、図18（ｃ）に示すように、第１駒１の前面10は円形に凸であり、後面11は円形に凹であり、装飾品用駒70に組み付けたとき、前面10の凸が後面11の凹に摺動可能に嵌合する。従って、前面10と後面11とは、鏡面か凹凸の少ない滑らかな面とすることで摺動時に表面を傷付けないようにすることが好ましい。
【００９４】
また、凹部16は、装飾品用駒70を組み立てるとき第２駒２を収容する部分であり、第３の実施形態では、第２駒２は後述する図19に示す形状であるため、凹部16の内面と摺動することはない。
【００９５】
そして、貫通孔17は、装飾品用駒70を組み立てるとき連結具３を収容する部分であり、図18（ｂ）で孔の断面は矩形状となっているが、他の例として、連結具３が紐状の場合は、紐の断面形状にあわせてもよく、複数に分割しても構わない。
【００９６】
図19は、本発明の第３の実施形態である装飾品用駒の一部である第２駒の一例を示す、（ａ）は平面図であり、（ｂ）は正面図であり、（ｃ）は右側面図である。
【００９７】
図19（ａ）〜（ｃ）に示す第２駒２は、図15（ｂ）に示すように、第２駒前面20側から見ると、上側に板状の部分と、その両端から下方に伸びる第２駒の端面22を形成する部分と、両端の第２駒の端面22を形成する部分の間に切り欠き状の収容部24と、収容部24から第２駒の端面22に向けて形成された孔からなるピン係合部23とを有する。
【００９８】
また、第２駒２の前面20は、第２駒２が凹部16に収容されたとき、第１駒の前面10に形成した半円形状の凸とほぼ同一の曲面となるように形成し、装飾品用駒70が滑らかに曲がるようにすることが好ましい。
【００９９】
さらに、ピン係合部23は、第２駒２が凹部16に収容されたとき、第１駒１の前面10の半円形状の凸の中心付近に位置するように形成すると、装飾品用駒70が滑らかに曲がるため好ましい。
【０１００】
また、図19（ａ）〜（ｃ）に示す本発明の第３の実施形態である第２駒２は、装飾品用駒70に組み立てたとき、収容部24に連結具３を収容して、第１駒１の凹部16に収容される。そして、第２駒２の前面21が、第１駒１の後面11と摺動する場合には、第２駒前面21を鏡面か凹凸の少ない滑らかな面として傷つきにくくし、耐久性を高めることが好ましい。
【０１０１】
また、図19（ｂ）で収容部24の断面は切り欠き状となっているが、他の例として、矩形状や、連結具３が紐状の場合は、紐の断面形状にあわせてもよく、複数に分割しても構わない。
【０１０２】
次に図20−１〜20−３は、本発明の第３の実施形態である装飾品用駒の組み付け方法の一例を示し、図20−１（ａ）は時計ケースに連結具と第２駒と第１駒とを組み付ける前の状態を示す上面側から見た断面図であり、（ｂ）は（ａ）のＦ−Ｆ′線での断面図である。図20−２（ａ）は時計ケースに連結具と第２駒とを組み付け、固定具をピン係合部とピン孔に挿入する状態を示す上面側から見た断面図であり、（ｂ）は（ａ）のＦ−Ｆ′線での断面図である。図20−３（ａ）は時計ケースに連結具と第２駒とを組み付け、固定具をピン係合部とピン孔とに挿入し、第１駒の左側の凹部に第２駒を収容し、次の第２駒を第１駒の右側の凹部に収容する前の状態を示す上面側から見た断面図であり、（ｂ）は（ａ）のＦ−Ｆ′線での断面図である。
【０１０３】
図20（ａ）〜（ｃ）は本発明の第３の実施形態である装飾品用駒70の組み付け方法の一例を示しており、それぞれの（ａ）は、装飾品用駒70を上面からみた断面図であり、（ｂ）の第１駒１をＡ−Ａ′線で，第２駒２をＢ−Ｂ′線で，時計ケース５をＣ−Ｃ′線で切断したときの断面および連結具３の平面で示している。なお、（ｂ）は（ａ）のＥ−Ｅ′線での断面図である。
【０１０４】
組み付け方法は、第１に、図20−１に示すように、時計ケース５のスリット54に連結具３を挿入し、第２駒２を、収容部24に連結具３が収容されるように連結具３の端部から通して時計ケース凹部53に向けて移動させ、その後、第１駒１を、貫通孔17に連結具３が収容されるようにして前面10を時計ケース５に向けて移動する。このとき、時計ケース５には第１駒１の前面10に形成された凸が勘合する凹が形成してある。
【０１０５】
第２に、図20−２に示すように、時計ケース凹部53に第２駒２を組み付け、ピン係合部23とピン孔32とが連通するように位置を決め、固定具４でピン係合部23とピン孔32とを挿通される。
【０１０６】
第３に、図20−３に示すように、第１駒１を時計ケース５に向けて移動させ、凹部16に第２駒２を収容し、次の第２駒２を、第１駒１の後面11に向けて移動させ、ピン係合部23とピン孔32とが連通するように位置を決め、先と同様にして固定具４で第２駒２と連結具３とを係合する。これらを繰り返すことにより、第１駒１，第２駒２，連結具３，固定具４および時計ケース５が連結する。
【０１０７】
このようにして連結された装飾品用駒70は、第２駒２の間隔が固定具４と固定具保持部31とにより拘束されるため、前後に隣接する第１駒１の、前面10の凸と後面11の凹とのクリアランスを装飾品用駒70の全体で均等に保つことが可能となる。これにより、第１駒１と第２駒２とをセラミックス製としても、装飾品用駒70の特定の部分に繰り返し大きな摩擦が生じて第１駒１と第２駒２とが傷ついたり磨耗したりして、装飾品用駒70の寿命が低下したり外観を損ねるという問題を防ぐことができる。
【０１０８】
図21は、本発明の装飾品用駒を時計ケースに組み付けた後の形状の一例を示す、（ａ）平面図であり、（ｂ）は正面図であり、（ｃ）は装飾品用駒を曲げた状態の正面図と一部断面図である。
【０１０９】
図21の（ａ）〜（ｃ）に示す連結具３や固定具４は、第１駒１と第２駒２との内部に収容されいる。そして、第１駒１の前面10に凸、後面11に凹を設けて嵌合させることにより、装飾品用駒70を手首に巻き付けたとき、上面側から見ると、連結具３が見えないことに加えて、前述した第１および第２の実施形態よりも、第１駒１の隙間Ａから第２駒２が露出しにくくなる。さらに、第２駒２の端面22側から見ると、固定具４は第１駒１の凹部16の内部にあるため固定具４の端部が露出することもなく、美しい外観を有する装飾品用駒70を得ることができる。
【０１１０】
このように、本発明の第３の実施形態の例では、装飾品用駒70を手首に巻き付けたとき、前述した実施形態よりも、第１駒１の隙間Ａから第２駒２がさらに見えにくい構造とすることも可能であり、デザインの自由度を広くすることができる。
【０１１１】
次に、本発明の装飾品用駒70を構成する第１駒１と第２駒２にセラミックスを用いた場合の製造方法を説明する。
【０１１２】
本発明の装飾品用駒70を構成する第１駒１、第２駒２に用いるセラミックスとしては、炭化珪素，アルミナ，安定化剤を含むジルコニアまたはサーメットなど公知の材料を用いることができる。
【０１１３】
例えば、炭化珪素を95質量％に焼結助剤としてアルミナを５質量％の割合で混合した原料をボールミルに投入して所定の粒度まで粉砕してスラリーを作製し、スプレードライヤーを用いて噴霧乾燥して顆粒を形成する。
【０１１４】
次に、この顆粒と熱可塑性樹脂とをニーダに投入して加熱しながら混練して得られた坏土をペレタイザーに投入すれば、インジェクション成形（射出成形）用の原料となるペレットを得ることができる。なお、ニーダに投入する熱可塑性樹脂としては、エチレン酢酸ビニル共重合体やポリスチレンやアクリル系樹脂などをセラミックスの質量に対して10〜25質量％程度添加すればよく、ニーダを用いて混練中の加熱温度は140〜180℃に設定すればよい。また、混練の条件はセラミックスの種類や粒度、および熱可塑性樹脂の種類に応じて適宜設定すればよい。
【０１１５】
そして、得られたペレットをインジェクション成形機（射出成形機）に投入して射出成形すれば、第１駒１や第２駒２となる成形体が得られる。このとき、得られた成形体には通常は射出成形したときの余分な原料が冷えて固まったランナが付随しているので、脱脂する前に切断しておく。
【０１１６】
炭化珪素の焼成条件としては、真空雰囲気中またはアルゴンやヘリウムなどの不活性ガス雰囲気中で焼成すればよく、最高温度は1900〜2200℃とし、最高温度での保持時間を１〜５時間とすればよく、黒色系のセラミックスが得られる。
【０１１７】
さらにまた、本発明の装飾品用駒70を構成する第１駒１と第２駒２とを構成するセラミックスとして、安定化剤を含むジルコニアセラミックス，アルミナセラミックスなどを用いる場合には、単体で用いるか、着色する場合には、顔料として、酸化鉄，酸化コバルト，酸化クロムまたは酸化ニッケルなどの金属酸化物を添加してもよい。
【０１１８】
例えば、安定化剤としてイットリアを含むジルコニアを95質量％に対して酸化ニッケルを5質量％の割合で混合し、この原料をボールミルに投入して所定の粒度まで粉砕してスラリーを作製し、スプレードライヤーを用いて噴霧乾燥して顆粒を形成し、インジェクション成形機に投入して上述と同様の方法で射出成形すれば、第１駒１や第２駒２となる成形体が得られ、焼成すると青緑色系のセラミックスが得られる。
【０１１９】
なお、本発明の装飾品用駒70を構成する第１駒１や第２駒２の形状を得るには、一般的な射出成形法に基づいて、第１駒１や第２駒２の形状が得られる成形型を作製し、これをインジェクション成形機に設置して射出成形すればよい。これによって、容易に所望の形状の第１駒１や第２駒２が得られる。
【０１２０】
ここで、ジルコニアセラミックス，アルミナセラミックスの焼成条件としては、大気雰囲気中や真空雰囲気中での焼成で最高温度を1300〜1500℃の範囲として、最高温度での保持時間を１〜５時間とすればよい。
【０１２１】
さらにまた、本発明の装飾品用駒70を構成する第１駒１と第２駒２とを構成するセラミックスとして、サーメットを用いる場合には、炭化チタンや窒化チタンを主成分とし、結合剤としてニッケルやコバルトを用い、焼結助剤としてモリブデンやクロムおよびそれらの炭化物を添加すればよい。
【０１２２】
例えば、窒化チタンを90質量％に対して酸化ニッケルを6％、炭化クロムを２質量％およびモリブデンを２質量％の割合で混合し、この原料をボールミルに投入して所定の粒度まで粉砕してスラリーを作製し、スプレードライヤーを用いて噴霧乾燥して顆粒を形成し、インジェクション成形機に投入して上述と同様の方法で射出成形すれば、第１駒１や第２駒２となる成形体が得られ、焼成すると金色系セラミックスが得られる。
【０１２３】
なお、本発明の装飾品用駒70を構成する第１駒１や第２駒２の形状を得るには、一般的な射出成形法に基づいて、第１駒１や第２駒２の形状が得られる成形型を作製し、これをインジェクション成形機に設置して射出成形すればよい。これによって、容易に所望の形状の第１駒１や第２駒２が得られる。
【０１２４】
ここで、サーメットの焼成条件としては、真空雰囲気中や不活性ガス雰囲気中での焼成で最高温度を1300〜1500℃の範囲として、最高温度での保持時間を１〜５時間とすればよい。
【０１２５】
以上のように本発明の装飾品用駒を用いて時計ケース５に組み付ければ、装飾品用駒70の側面に連結ピンの端部やネジの頭が露出せず、バンドを手首に巻いたとき駒と駒との間から内部の連結具が露出せず、駒の材質を全てセラミックスとしても欠けや磨耗しにくい装飾品用駒を提供することができる。
【符号の説明】
【０１２６】
１：第１駒
２：第２駒
３：連結具
４：固定具
５：時計ケース
６：スペーサ
10：前面
11：後面
12：側面
13：上面
14：下面
15：斜面
16：凹部
17：貫通孔
20：第２駒前面
21：第２駒後面
22：端面
23：ピン係合部
24：収容部
30：連結具本体
31：固定具保持部
32：ピン孔
52：蓋
53：時計ケース凹部
54：スリット
60：スペーサ凹部
64：スペーサ孔
70：装飾品用駒
【図１】
0005479052.tif 000002
【図２】
0005479052.tif 000003
【図３】
0005479052.tif 000004
【図４】
0005479052.tif 000005
【図５】
0005479052.tif 000006
【図６】
0005479052.tif 000007
【図７】
0005479052.tif 000008
【図８】
0005479052.tif 000009
【図９】
0005479052.tif 000010
【図１０】
0005479052.tif 000011
【図１１】
0005479052.tif 000012
【図１２】
0005479052.tif 000013
【図１３】
0005479052.tif 000014
【図１４】
0005479052.tif 000015
【図１５】
0005479052.tif 000016
【図１６】
0005479052.tif 000017
【図１７】
0005479052.tif 000018
【図１８】
0005479052.tif 000019
【図１９】
0005479052.tif 000020
【図２０】
0005479052.tif 000021
【図２１】
0005479052.tif 000022
【図２２】
0005479052.tif 000023